(57)【要約】【課題】現在の縫製作業ペースが、目標生産枚数を達成するために適正であるか否かの判断を可能にするミシンの生産管理装置を実現する。【解決手段】縫製システム装置１００は、ミシン１０が実行した所定縫製作業の縫製終了をカウントし、所定の単位時間毎の縫製終了の数を累積するように算出した単位時間あたりの縫製作業の実績終了数を示すグラフと、所定の期限までに完了すべき縫製作業の目標数に応じて設定された単位時間あたりに実行するべき縫製作業の目標終了数を示す指標線Ｌｂを、表示部２１に表示することができる。特に、この縫製システム装置１００は、単位時間の経過毎にそれまでに終了した実績終了数に応じて、残りの期間における単位時間あたりに実行するべき縫製作業の目標終了数を再設定し、その再設定された目標終了数を示す指標線Ｌｕを表示部２１に表示することができる。【選択図】図１
2009017995.tif 000002
【特許請求の範囲】
【請求項１】
完了した所定縫製作業の縫製終了数をカウントするカウント手段と、
前記カウント手段によりカウントされた縫製終了数に基づき、所定の単位時間あたりの前記所定縫製作業の実績終了数を算出する実績終了数算出手段と、
前記実績終了数算出手段により算出された前記所定縫製作業の実績終了数が、所定の単位時間毎のグラフとして表示される表示手段と、
を備えるミシンの生産管理装置であって、
所定の期限までに完了すべき前記所定縫製作業の目標数を設定入力する目標数入力手段と、
前記目標数入力手段により設定入力された目標数の縫製作業を、前記所定の期限までに完了させるために、前記単位時間あたりに完了するべき前記所定縫製作業の目標終了数を設定する目標終了数設定手段と、
前記目標終了数設定手段により設定された目標終了数を示す指標を前記グラフとともに前記表示手段に表示する指標表示制御手段と、
を備え、
前記目標終了数設定手段は、前記カウント手段によりカウントされた縫製終了数に応じて、残りの期間における単位時間あたりに完了するべき前記所定縫製作業の目標終了数を設定することを特徴とするミシンの生産管理装置。
【請求項２】
前記実績終了数算出手段により算出された前記単位時間あたりの前記所定縫製作業の実績終了数が、前記目標終了数設定手段により設定された目標終了数を超えたか否かを判断する判断手段と、
前記判断手段により、前記実績終了数が前記目標終了数を超えたと判断された場合に、目標終了数を超えた実績終了数に対応するグラフを識別可能に表示する識別表示制御手段と、
を備えることを特徴とする請求項１に記載のミシンの生産管理装置。
【発明の詳細な説明】
【技術分野】
【０００１】
本発明は、ミシンの生産管理装置に係り、特に、縫製工場で作業者が縫い上げる被縫製物の枚数などの生産履歴を集計するためのミシンの生産管理装置に関する。
【背景技術】
【０００２】
従来、所定の縫製作業が完了する度にその終了を示す時刻をメモリに順次記憶し、その記憶された時刻に基づいて単位時間当たりの縫製作業の終了数を算出し、その算出された単位時間当たりの縫製終了数（縫製枚数）を単位時間毎にグラフとして表示するミシンの生産管理装置が知られている（例えば、特許文献１参照。）。
【特許文献１】特開２００６−１９８３９５号公報
【発明の開示】
【発明が解決しようとする課題】
【０００３】
しかしながら、上記特許文献１の場合、ミシンオペレータは、これまでに縫製を終了した被縫製物の生産履歴である出来高（縫製枚数）について確認することはできるものの、目標の生産枚数に対するその出来高の割合を把握することができないので、ノルマなどの目標生産枚数を達成するための縫製作業ペースを確認することが困難であるという問題があった。
【０００４】
本発明の目的は、現在の縫製作業ペースが、目標生産枚数を達成するために適正であるか否かの判断を可能にするミシンの生産管理装置を提供することである。
【課題を解決するための手段】
【０００５】
以上の課題を解決するため、請求項１に記載の発明は、完了した所定縫製作業の縫製終了数をカウントするカウント手段と、カウント手段によりカウントされた縫製終了数に基づき、所定の単位時間あたりの所定縫製作業の実績終了数を算出する実績終了数算出手段と、実績終了数算出手段により算出された所定縫製作業の実績終了数が、所定の単位時間毎のグラフとして表示される表示手段と、を備えるミシンの生産管理装置であって、所定の期限までに完了すべき所定縫製作業の目標数を設定入力する目標数入力手段と、目標数入力手段により設定入力された目標数の縫製作業を、所定の期限までに完了させるために、単位時間あたりに完了するべき所定縫製作業の目標終了数を設定する目標終了数設定手段と、目標終了数設定手段により設定された目標終了数を示す指標を前記グラフとともに前記表示手段に表示する指標表示制御手段と、を備え、目標終了数設定手段は、カウント手段によりカウントされた縫製終了数に応じて、残りの期間における単位時間あたりに完了するべき所定縫製作業の目標終了数を設定することを特徴とする。
【０００６】
請求項１に記載の発明によれば、ミシンの生産管理装置は、完了した所定縫製作業の縫製終了数をカウントし、所定の単位時間毎の縫製終了の数を累積するように算出して、その単位時間あたりの所定縫製作業の実績終了数を取得し、表示手段にその実績終了数を示すグラフを表示するとともに、所定の期限までに完了すべき所定縫製作業の目標数に応じて設定された単位時間あたりに完了するべき所定縫製作業の目標終了数を示す指標を、そのグラフとともに表示手段に表示することができる。
特に、このミシンの生産管理装置は、所定の単位時間の経過毎に、それまでにカウントされた縫製終了数に応じて、残りの期間における単位時間あたりに完了するべき所定縫製作業の目標終了数を設定し、その設定された目標終了数を示す指標を表示手段に表示することができる。
【０００７】
請求項２に記載の発明は、請求項１に記載のミシンの生産管理装置において、実績終了数算出手段により算出された単位時間あたりの所定縫製作業の実績終了数が、目標終了数設定手段により設定された目標終了数を超えたか否かを判断する判断手段と、判断手段によって実績終了数が目標終了数を超えたと判断された場合に、目標終了数を超えた実績終了数に対応するグラフを識別可能に表示する識別表示制御手段と、を備えることを特徴とする。
【０００８】
請求項２に記載の発明によれば、請求項１に記載の発明と同様の作用を奏するとともに、ミシンの生産管理装置は、所定の単位時間あたりの所定縫製作業の実績終了数が目標終了数を超えたと判断した場合に、その目標終了数を超えた実績終了数に対応するグラフを識別可能に表示することができるので、ユーザは、その識別可能に表示されたグラフを他のグラフと区別して認識することができる。
【発明の効果】
【０００９】
請求項１に記載の発明によれば、ミシンの生産管理装置は、完了した所定縫製作業の縫製終了数をカウントし、所定の単位時間毎の縫製終了数を累積するように算出して、その単位時間あたりの所定縫製作業の実績終了数を取得し、表示手段にその実績終了数を示すグラフを表示するとともに、所定の期限までに完了すべき所定縫製作業の目標数に応じて設定された単位時間あたりに完了するべき所定縫製作業の目標終了数を示す指標を、そのグラフとともに表示手段に表示することができる。特に、このミシンの生産管理装置は、それまでに縫製が完了した縫製終了数に応じて、残りの期間における単位時間あたりに完了するべき所定縫製作業の目標終了数を設定し、その設定された目標終了数を示す指標を表示手段に表示することができる。
【００１０】
つまり、ユーザは、表示手段に表示される、所定の単位時間あたりに実行するべき所定縫製作業の目標終了数を示す指標を、実績終了数を示すグラフとともに視認してその目標枚数を認識したうえで縫製作業を行うことが可能となり、縫製作業ペースを確認しつつ縫製作業を実行することができる。
特に、このミシンの生産管理装置は、それまでに縫製が完了した縫製終了数に応じて、残りの期間における単位時間あたりに完了するべき所定縫製作業の目標終了数を設定し、その設定された目標終了数を示す指標を表示手段に表示することができるので、ユーザは、時間の経過に伴う縫製作業の進行具合に応じた目標枚数を認識したうえで縫製作業を行うことが可能となり、より実際の作業状況に応じた縫製作業ペースを確認して縫製作業を行うことができる。
従って、このミシンの生産管理装置は、現在の縫製作業ペースが、目標の生産枚数である目標数を達成するために適正であるか否かの判断を、ユーザが容易に行うことを可能にするミシンの生産管理装置であるといえる。
【００１１】
請求項２に記載の発明によれば、ミシンの生産管理装置は、所定の単位時間あたりの所定縫製作業の実績終了数が目標終了数を超えたと判断した場合に、その目標終了数を超えた実績終了数に対応するグラフを識別可能に表示することができるので、ユーザは、その識別可能に表示されたグラフを他のグラフと区別して認識することができる。
つまり、このミシンの生産管理装置は、単位時間あたりの実績終了数が、指標として表示される目標終了数以上となった場合に、その実績終了数を示すグラフを他のグラフと識別可能とするように、他のグラフとは異なる色や模様など、異なる表示形態でそのグラフを表示することができるので、ユーザは、各単位時間の縫製作業を終えた際に、そのグラフの表示形態を視認して確認することにより、その単位時間での縫製作業ペースの良し悪しを容易に判断することができる。
【発明を実施するための最良の形態】
【００１２】
以下、本発明の実施の形態を図１から図１２に基づいて説明する。
本発明に係るミシンの生産管理装置は、ミシンを備える縫製システム装置にミシンの一部の機能として組み込まれている。
【００１３】
本実施形態たるミシンの生産管理装置としての縫製システム装置１００は、図１に示すように、ミシン１０と、ミシン１０に接続される操作パネル２０とを有する。
【００１４】
ミシン１０は、図１に示すように、電源スイッチ４のオンにより給電されるミシンモータ５と、ミシンモータ５の回転駆動がベルト６を介して伝達される図示しないミシン主軸と、そのミシン主軸の回転駆動により上下動する針棒２と、針棒２に交換可能に備えられるミシン針３と、針棒２（ミシン針３）の下方において被縫製物を布送りする布送り機構８と、ミシン１０を操作するためのペダル７と、ミシンの各部を制御する制御装置１１（図２参照）が内部に収容されている制御ボックス９等を備えている。なお、ミシン１０には、図示しない有線又は無線の回線（信号線）により操作パネル２０が接続されている。
【００１５】
また、ミシン１０は、図２に示すように、制御ボックス９内に収容される制御装置１１と、ペダル７の操作位置を検出して各種指令信号を出力するペダルセンサ１２と、ミシンの主軸の回転速度及び回転位置を検出する回転センサー１４と、ミシンの各部を動作させる各種アクチュエータ１６と、ミシンの動作処理等に関する各種データが記憶されるメモリ１５と、図示しない糸切り機構を起動させる糸切りスイッチ１７等を備えている。
なお、メモリ１５は、ＲＡＭ、ＲＯＭ、ＥＥＰＲＯＭなどによって構成される様々な記憶領域を有しており、各種データに応じた領域にそれらデータが格納されるようになっている。
【００１６】
そして、ミシン１０において、ペダル７の操作に基づき回転指令信号がペダルセンサ１２から制御装置１１に対して出力されることに伴いミシンモータ５が回転駆動して、針棒２（ミシン針３）が上下動する運針が開始されるとともに、布送り機構８が所定の布送りピッチで被縫製物を布送りすることによって、縫製が行われる。なお、ミシン１０は、回転センサー１４からの信号や、メモリ１５に記憶された縫製データや、操作パネル２０で設定されたデータ等に基づき、制御装置１１がミシンモータ５や布送り機構８、各種アクチュエータ１６等を制御して、縫製を実行する。
また、縫製終了時、ペダル７の操作に基づき、ペダルセンサ１２から糸切り指令信号が制御装置１１に対して出力されることによって、図示しない糸切り機構が糸切りを行うとともに、ミシン１０（制御装置１１）は、その糸切り機構による糸切りのタイミングに伴う糸切り信号を、信号線１０ａを介して操作パネル２０に送信する。
【００１７】
操作パネル２０は、図２、図３に示すように、液晶表示を行う表示部２１と、表示部２１に重ね合わされる透明のタッチパネル式の各種操作ボタン２２と、ミシン１０において縫製された被縫製物の縫製枚数（縫製終了数）の計測を開始するためのスイッチ３０と、各種データを記憶するメモリ２４と、計時処理を行うタイマー２３と、操作パネルにおける各種制御処理を行うＣＰＵ２６等を備えている。
なお、メモリ２４は、ＲＡＭ、ＲＯＭ、ＥＥＰＲＯＭなどによって構成される様々な記憶領域を有しており、各種データに応じた領域にそれらデータが格納されるようになっている。
また、操作パネル２０には、メモリーカード３１などの記録媒体が着脱可能に備えられており、操作パネル２０は、そのメモリーカード３１に記録された各種情報やデータを読み出したり、様々な情報やデータをメモリーカード３１に書き込んだりすることが可能になっている。
そして、操作パネル２０は、各種操作ボタン２２が操作されたことに基づく各種操作信号に応じて設定された各種設定情報に基づく各種設定処理を実行する。そして、操作パネル２０において設定処理された各種データが、信号線１０ｂを介してミシン１０に送信されて、ミシン１０の縫製制御等に利用される。
【００１８】
表示部２１は、様々な操作キーやスイッチ、各種設定値や各種縫製データ等を表示可能になっている。特に、表示部２１は、単位時間毎の縫製終了数を、時間対縫製終了数の棒グラフとして表示する表示手段として機能する。
【００１９】
操作ボタン２２は、表示部２１に表示されている操作キーやスイッチに対応する位置が押下されて操作されたことに基づく各種操作信号をＣＰＵ２６に出力する。
【００２０】
ＣＰＵ２６は、縫製終了のタイミングを示す糸切り信号が発生する度に、タイマー２３が計時するその糸切り信号の発生時刻を特定する情報（発生時刻データ）をメモリ２４に出力する。
【００２１】
メモリ２４は、ＣＰＵ２６により出力されたタイマー２３が計時した糸切り信号の発生時刻を特定する情報や、ＣＰＵ２６によって算出されたり設定されたりした各種データ（例えば、実績終了数、目標数、目標終了数など）等を記憶する。
【００２２】
また、ＣＰＵ２６は、ミシン１０が実行した所定縫製作業の縫製完了毎に出力される糸切り信号などのカウント信号に基づき、完了した所定縫製作業の縫製終了数をカウントするカウント手段として機能する。
【００２３】
また、ＣＰＵ２６は、カウント手段としてのＣＰＵ２６によりカウントされた縫製終了数と、メモリ２４に記憶された前述の発生時刻データとに基づき、所定の単位時間あたりの所定縫製作業の実績終了数を算出する実績終了数算出手段として機能する。
例えば、実績終了数算出手段としてのＣＰＵ２６は、メモリ２４に記憶された糸切り信号の発生時刻データに基づき、所定の単位時間毎（例えば、１時間毎、２４時間（１日）毎など）の発生時刻データの数を加算するようにして、ユーザが実際に行った所定縫製作業であって、その縫製作業が終了した実績終了数を算出する制御を実行する。
【００２４】
また、ＣＰＵ２６は、実績終了数算出手段としてのＣＰＵ２６により算出された所定縫製作業の実績終了数を、所定の単位時間毎のグラフとして表示部２１に表示する表示制御手段として機能する。なお、ＣＰＵ２６が処理した表示に関するグラフ等のデータは、表示制御回路２５を介して出力されて表示部２１に表示される。また、そのグラフに関するデータは、メモリ２４に記憶し格納される。
【００２５】
また、ＣＰＵ２６は、操作ボタン２２とともに所定の期限までに完了すべき所定縫製作業の目標数を設定入力する目標数入力手段として機能する。
なお、目標数入力手段としてのＣＰＵ２６は、目標数入力手段の一部として機能する操作ボタン２２を介して入力された目標数をメモリ２４に記憶するようにして、その目標数を入力設定するようになっている。
【００２６】
また、ＣＰＵ２６は、目標数入力手段としてのＣＰＵ２６により設定入力された目標数の縫製作業を所定の期限までに完了させるために、所定の単位時間あたりに完了するべき所定縫製作業の目標終了数を設定する目標終了数設定手段として機能する。
具体的には、上述の目標数入力手段により所定の期限までに完了させるべき目標数が設定入力された場合には、目標終了数設定手段としてのＣＰＵ２６は、所定縫製作業の実行開始前においてはその設定入力された目標数を、それまでにカウント手段としてのＣＰＵ２６によりカウントされた縫製終了数が“０”であるものとして、所定の単位時間（１時間）あたりに完了するべき所定縫製作業の目標終了数として設定する制御を実行する。
また、例えば、所定の期限が当日の午後６時である場合に、当日の午前９時に、所定の期限（当日の午後６時）までに完了させるべき目標数が、例えば、９０枚として設定入力された場合には、目標終了数設定手段としてのＣＰＵ２６は、その設定入力された目標数を１日の作業時間（この場合は、９時間）で除算して得られた目標終了数（例えば、１０枚）を、所定の単位時間（１時間）あたりに完了するべき所定縫製作業の終了数である目標終了数として設定する制御を実行する。なお、所定の期限である１０日間や１ヶ月などの作業で完了させるべき目標数が設定入力された場合も同様に、所定の単位時間（１時間）あたりに完了するべき所定縫製作業の目標終了数として設定するようにすればよい。
【００２７】
そして、目標終了数設定手段としてのＣＰＵ２６は、上述の所定の縫製作業が開始された後は、それまでに縫製が終了（完了）した縫製終了数に応じて、目標数として設定された９０枚の縫製作業を所定の期限までに完了させるために、残りの期間における単位時間あたりに完了するべき所定縫製作業の目標終了数を設定する制御を実行する。
具体的には、例えば、１日、９時間の作業時間で、９０枚の縫製作業を完了させなければならない場合、縫製作業開始時点では、所定の単位時間（１時間）あたりに完了するべき所定縫製作業の目標終了数は「１０枚」である。
そして、最初の１時間で「１０枚」の縫製を完了すると、残りの期間である８時間で８０枚の縫製作業を終えるように、残りの期間における単位時間あたりに完了するべき所定縫製作業の目標終了数が「１０枚」と設定される。
一方、最初の１時間で「２枚」の実績終了数の縫製を完了すると、残りの期間である８時間で８８枚の縫製作業を終えるように、残りの期間における単位時間あたりに完了するべき所定縫製作業の目標終了数が「１１枚」と設定される。
また、最初の１時間で「１８枚」の実績終了数の縫製を完了すると、残りの期間である８時間で７２枚の縫製作業を終えるように、残りの期間における単位時間あたりに完了するべき所定縫製作業の目標終了数が「９枚」と設定される。
【００２８】
また、ＣＰＵ２６は、目標終了数設定手段としてのＣＰＵ２６により設定された目標終了数を示す指標を、実績終了数のグラフとともに表示部２１に表示する指標表示制御手段として機能する。なお、ＣＰＵ２６が処理した表示に関する指標のデータは、表示制御回路２５を介して出力されて表示部２１に表示される。また、その指標に関するデータは、メモリ２４に記憶し格納される。
【００２９】
特に、指標表示制御手段としてのＣＰＵ２６は、目標終了数設定手段としてのＣＰＵ２６によって設定された最新の目標終了数を示す指標を表示する制御を実行する。
なお、指標表示制御手段としてのＣＰＵ２６は、縫製作業開始時点における目標終了数を示す指標を表示部２１に表示したまま、縫製作業開始後における所定の単位時間の経過毎に新たに設定される目標終了数を示す指標を表示するようにしてもよく、また、所定の単位時間の経過毎に新たに設定される目標終了数を示す指標のみを表示部２１に表示するようにしてもよい。
【００３０】
また、ＣＰＵ２６は、実績終了数算出手段としてのＣＰＵ２６により算出された単位時間あたりの所定縫製作業の実績終了数が、目標終了数設定手段としてのＣＰＵ２６により縫製作業開始前に設定された目標終了数を超えたか否かを判断する判断手段として機能する。
【００３１】
また、ＣＰＵ２６は、判断手段としてのＣＰＵ２６により、実績終了数が縫製作業開始前の目標終了数を超えたと判断された場合に、目標終了数を超えた実績終了数に対応するグラフを表示部２１に識別可能に表示する識別表示制御手段として機能する。
例えば、識別表示制御手段としてのＣＰＵ２６は、目標終了数を超えた実績終了数に対応するグラフを他のグラフとは異なる色や異なる表示形態で表示するようにして、そのグラフを容易に識別することができるように表示する制御を実行する。
【００３２】
次に、縫製システム装置１００において行われる被縫製物の縫製終了数の計測に関する生産管理について説明する。
【００３３】
生産管理を行うために、ミシン１０による単位時間当たりの被縫製物の縫製終了数を計測する場合、まず、操作パネル２０のスイッチ３０をオンにする。スイッチ３０がオンになると、操作パネル２０のＣＰＵ２６は、被縫製物１枚の縫製が終了するごとに送信されてくる糸切り信号を検知する。そして、その糸切り信号を検知したタイミングは、タイマー２３が計時する時刻により検出することができるので、ＣＰＵ２６は、糸切り信号を検知した糸切り信号発生時刻を、被縫製物１枚の縫製終了を示す時刻として、メモリ２４に記憶する。
この糸切り信号の検知に伴い被縫製物１枚の縫製終了を示す時刻を記憶する、縫製終了数の計測処理の状態を図４に示す。
【００３４】
図４に示すように、例えば、スイッチ３０がオンにされ、被縫製物の縫製終了数の計測が時刻ｔ０に開始されて、時刻ｔ１において糸切り信号が発生すると、その時刻ｔ１において被縫製物１枚の縫製が完了したことを意味するので、その時刻ｔ０及びｔ１をメモリ２４の所定のアドレスＡ０及びＡ１にそれぞれ記憶する。そして、スイッチ３０がオフにされて、縫製終了数の計測が終了される時刻までに順次発生する糸切り信号の発生時刻ｔ２、ｔ３…ｔｎを、連続するアドレスＡ２、Ａ３…Ａｎに順次記憶する。ここで、スイッチ３０がオンにされてからオフにされるまでの時間範囲が、メモリ２４に記憶された縫製時間データが及ぶ縫製時間範囲に対応する。
なお、メモリ２４はＦＩＦＯメモリとして構成されているので、容量がなくなると、最初に記憶された情報から失われていく。また、タイマー２３が計時し出力する時刻には、何時何分何秒などの時間情報だけでなく、何月何日などの日時情報も含まれているので、メモリ２４に記憶し格納されている時刻情報は、時間情報だけでなく日時情報も含む。
【００３５】
そして、ＣＰＵ２６は、メモリ２４に記憶されている縫製終了のタイミングを示す時刻データ（糸切り信号発生時刻）に基づき、所定の単位時間当たりの縫製終了数を各時間範囲ごとに取得し集計して、例えば、図１２に示す操作パネル２０の表示部２１に表示されるような、時間対縫製終了数のグラフに関するグラフデータを作成する。なお、図１２に示すグラフデータは、単位時間Ｄ１が６０分（１時間）と設定されているものである。
このグラフデータを作成する際に、ＣＰＵ２６は、計測開始時刻Ｔ０（＝ｔ０）（０分）から１時間、２時間・・・と、単位時間ごとの時刻Ｔ１、Ｔ２…を計測するとともに、単位時間である各６０分間に対応するアドレスに糸切り信号発生時刻がいくつ記憶されているか計測する。
例えば、ＣＰＵ２６は、時刻Ｔ０直後の時刻ｔ１を記憶するアドレスと、６０分後の時刻Ｔ１までの時刻が記憶されているアドレスを求め、その両アドレス並びにその間のアドレスに記憶されている糸切り信号発生時刻の数を計測する。以下同様に、時刻Ｔ（ｉ）直後の時刻が記憶されているアドレスと、時刻Ｔ（ｉ＋１）までの時刻が記憶されているアドレスを求め、その両アドレス並びにその間のアドレスに記憶されている糸切り信号発生時刻の数を計測する。
具体的には、例えば、９時以降１０時までの６０分に検知され記録された糸切り信号は１５個で縫製終了数は「１５」、１０時以降１１時までの６０分に検知され記録された糸切り信号は２０個で縫製終了数は「２０」、１１時以降１２時までの６０分に検知され記録された糸切り信号は６個で縫製終了数は「６」、１２時以降１３時までの６０分に検知され記録された糸切り信号は１２個で縫製終了数は「１２」…のように、糸切り信号発生時刻の数に基づき縫製終了数を計測する。
なお、各単位時間ごとの縫製終了数（グラフデータ）は、メモリ２４に記憶される。
【００３６】
次に、この縫製システム装置１００における、グラフの表示処理について、図５に示すフローチャートに基づき説明する。
【００３７】
まず、操作パネル２０における所定の生産管理ボタン（図示省略）が押下されたことに基づき、図６に示すようなグラフ画面が表示部２１に表示される（ステップＳ１０１）。
なお、この表示部２１におけるグラフ画面には、グラフ表示エリア２１ａと、操作ボタン２２である目標枚数設定キー２２ａとが備えられている。
【００３８】
次いで、ＣＰＵ２６は、目標枚数設定キー２２ａが押下されたか否かを判断する（ステップＳ１０２）。
ＣＰＵ２６が、目標枚数設定キー２２ａは押下されていないと判断すると（ステップＳ１０２；Ｎｏ）、ステップＳ１０１に戻る。
一方、ＣＰＵ２６が、目標枚数設定キー２２ａが押下されたと判断すると（ステップＳ１０２；Ｙｅｓ）、ＣＰＵ２６は、図７に示すような、目標数入力手段の一部として機能する操作ボタン２２であるテンキー２２ｂが備えられる表示画面を操作パネル２０の表示部２１に表示する（ステップＳ１０３）。なお、この表示部２１におけるテンキー表示画面には、テンキー２２ｂが操作されて入力された目標数を表示する目標数表示エリア２１ｂと、その入力された目標数値を確定して前のグラフ画面に戻るためのエンターキー２２ｃと、その入力された目標数値を破棄して前のグラフ画面に戻るためのキャンセルキー２２ｄとが備えられている。
【００３９】
次いで、ＣＰＵ２６は、テンキー２２ｂが押下されて、所定の期限までに完了すべき任意の目標数が設定入力されたか否かを判断する（ステップＳ１０４）。
なお、本実施形態においては、所定の期限として予め当日の午後６時が固定的に設定されており、上述の目標数は、目標の設定が行われた時点から当日の午後６時までに完了すべき目標数として設定されるものとして説明する。
例えば、午前９時の時点において、即縫製を開始して当日の午後６時までに完了すべき目標数が１３５枚である場合は、テンキー２２ｂを押下して「１３５」を目標数表示エリア２１ｂに表示させた上でエンターキー２２ｃを押すことにより、所定の期限までに完了すべき目標数が設定される。
【００４０】
ＣＰＵ２６が、任意の目標数が設定入力されていないと判断すると（ステップＳ１０４；Ｎｏ）、ステップＳ１０３に戻る。
ＣＰＵ２６は、入力された目標数の縫製作業を所定の期限としての午後６時までに完了させるために、単位時間あたりに完了すべき所定の縫製作業の目標終了数を演算して設定するとともに、設定された目標終了数を示す指標である指標線Ｌｂを操作パネル２０のグラフ表示エリア２１ａに表示する（ステップＳ１０５）。
例えば、上述のように、午前９時の時点において、即縫製を開始して当日の午後６時までに完了すべき目標数が１３５枚として入力された場合は、ＣＰＵ２６は、１３５枚を午前９時から午後６時までの期間（９時間）で除算して（１３５／９＝１５）、１５枚を縫製開始時の単位時間（ここでは１時間を単位時間とする）あたりに完了するべき縫製作業の目標終了数（以下、単に目標終了数ともいう）として設定し、図８に示すように、その指標Ｌｂをグラフ表示エリア２１ａに表示する。
【００４１】
次いで、ＣＰＵ２６は、所定縫製作業の縫製が完了する毎にミシン１０から出力される糸切り信号が入力されたか否かを判定し（ステップＳ１０６）、糸切り信号が入力された場合（ステップＳ１０６；Ｙｅｓ）は、糸切り信号をカウントして（ステップＳ１０７）、ステップＳ１０８に移行する。
一方、ＣＰＵ２６は、ステップＳ１０６において、糸切り信号が入力されないと判断すると、そのままステップＳ１０８に移行する。
次いで、ＣＰＵ２６は、所定の単位時間である１時間が経過したか否かを判断する（ステップＳ１０８）。
ＣＰＵ２６が、単位時間経過していないと判断すると（ステップＳ１０８；Ｎｏ）、ステップＳ１０６に戻る。
【００４２】
一方、ＣＰＵ２６が、単位時間経過したと判断すると（ステップＳ１０８；Ｙｅｓ）、ＣＰＵ２６は、カウントされた糸切り信号に基づく縫製終了の数に応じて、所定の単位時間あたりに縫製が完了した所定縫製作業の実績終了数を算出し、その算出した実績終了数に対応するグラフを表示部２１のグラフ表示エリア２１ａに表示する（ステップＳ１０９）。
ここで、９時から１０時までの１時間の実績終了数が「１５枚」であったとすると、図９に示すように、グラフ表示エリア２１ａにおける９時から１０時の範囲に実績終了数「１５枚」を示す棒グラフが表示される。
【００４３】
また、ＣＰＵ２６は、その算出した実績終了数が目標終了数以上であるか否かを判断する（ステップＳ１１０）。
ＣＰＵ２６が、実績終了数が目標終了数以上であると判断すると（ステップＳ１１０；Ｙｅｓ）、その棒グラフを他のグラフと識別可能とするように、他のグラフとは異なる色で着色するようにして表示し（ステップＳ１１１）、ステップＳ１１２へ進む。
一方、ＣＰＵ２６が、実績終了数は目標終了数未満であると判断すると（ステップＳ１１０；Ｎｏ）、棒グラフを通常表示のまま、ステップＳ１１２へ進む。
なお、９時から１０時までの実績終了数は「１５枚」であるので、図９に示すその棒グラフは着色されて表示されている。
【００４４】
そして、ＣＰＵ２６は、残りの期間である８時間において、単位時間あたりに完了するべき目標終了数を再設定し、その再設定された目標終了数を表示するように、指標の更新を行う（ステップＳ１１２）。
なお、ここで「１５枚」の縫製を終えており、残りの８時間で縫製しなければならない枚数は１２０枚であるので、単位時間あたりに縫製を完了するべき目標終了数は「１５枚（＝１２０枚／８時間）」となるために、図９に示す表示画面において指標線は表示変更されていない。
【００４５】
次いで、ＣＰＵ２６は、全ての縫製作業を完了したか否かを判断する（ステップＳ１１３）。
ＣＰＵ２６が、全ての縫製作業を完了していないと判断すると（ステップＳ１１３；Ｎｏ）、ステップＳ１０６に戻り、糸切り信号に基づいて、次の単位時間に応じた縫製終了をカウントし、各単位時間毎のグラフ表示処理を継続する。
【００４６】
ここで、１０時から１１時までの１時間の実績終了数が「２０枚」であったとすると、図１０に示すように、グラフ表示エリア２１ａにおける１０時から１１時の範囲に実績終了数「２０枚」を示す棒グラフが着色されて表示される。そして、ここまでに「３５枚」の縫製を終えており、期限である午後６時までの残りの７時間で縫製しなければならない枚数は１００枚となり、目標終了数は「約１４枚（≒１００枚／７時間）」となるので、図１０に示す表示画面におけるグラフ表示エリア２１ａに、目標終了数「１４枚」を示す指標線Ｌｕが表示される。
なお、目標終了数を示す指標線Ｌｕが、当初基準の指標線Ｌｂより下側に表示されている状態は、縫製作業ペースが基準より速く、縫製作業が進んでいる状態であるので、ユーザは、指標線Ｌｂに対する更新指標線Ｌｕの配置を確認することで、縫製作業ペースの良し悪しを容易に判断することができる。
【００４７】
また、１１時から１２時までの１時間の実績終了数が「６枚」であったとすると、図１１に示すように、グラフ表示エリア２１ａにおける１１時から１２時の範囲に実績終了数「６枚」を示す棒グラフが通常表示される。そして、ここまでに「４１枚」の縫製を終えており、残りの６時間で縫製しなければならない枚数は９４枚となり、目標終了数は「約１６枚（≒９４枚／６時間）」となるので、図１１に示す表示画面におけるグラフ表示エリア２１ａに、目標終了数「１６枚」を示す更新指標線Ｌｕが表示される。
なお、目標終了数を示す更新指標線Ｌｕが、当初基準の指標線Ｌｂより上側に表示されている状態は、縫製作業ペースが基準より遅く、縫製作業が遅れている状態であるので、ユーザは、指標線Ｌｂに対する更新指標線Ｌｕの配置を確認することで、縫製作業ペースの良し悪しを容易に判断することができる。
【００４８】
一方、ＣＰＵ２６が、全ての縫製作業を完了したと判断すると（ステップＳ１１３；Ｙｅｓ）、グラフ表示処理を終了する。
なお、９時から１０時までの実績終了数が「１５枚」、１０時から１１時までの実績終了数が「２０枚」、１１時から１２時までの実績終了数が「６枚」、１２時から１３時までの実績終了数が「１２枚」、１３時から１４時までの実績終了数が「１４枚」、１４時から１５時までの実績終了数が「１８枚」、１５時から１６時までの実績終了数が「１９枚」、１６時から１７時までの実績終了数が「１４枚」、１７時から１８時までの実績終了数が「１７枚」であったとすると、図１２に示す表示画面のようなグラフが、表示部２１のグラフ表示エリア２１ａに表示されることとなる。
【００４９】
このように、本発明に係るミシンの生産管理装置である縫製システム装置１００は、ミシン１０において実行されて完了した所定縫製作業の縫製終了数をカウントするように、所定の単位時間毎に縫製終了の数を集計して、その単位時間あたりの所定縫製作業の実績終了数を取得し、操作パネル２０の表示部２１におけるグラフ表示エリア２１ａにその実績終了数を示す棒グラフを表示することができる。
特に、縫製システム装置１００は、単位時間あたりに実行するべき所定縫製作業の目標終了数（目標枚数）を示す指標である指標線Ｌｂを、実績終了数を示す棒グラフとともにグラフ表示エリア２１ａに表示することができるので、ユーザは、指標線Ｌｂを視認してその目標枚数を認識したうえで縫製作業を行うことができるようになり、縫製作業ペースを確認しつつ縫製作業を実行することができる。
更に、縫製システム装置１００は、それまでに終了した実績終了数に応じて、残りの期間における単位時間あたりに実行するべき所定縫製作業の目標終了数を再設定し、その再設定された目標終了数を示す指標である指標線Ｌｕをグラフ表示エリア２１ａに表示することができるので、ユーザは、時間の経過に伴う縫製作業の進行具合に応じた目標枚数を認識したうえで縫製作業を行うことができるようになり、より実際の作業状況に応じた縫製作業ペースを確認して縫製作業を行うことができる。
【００５０】
また、縫製システム装置１００は、単位時間あたりの実績終了数が、指標線Ｌｂが示す目標終了数以上となった場合に、その実績終了数を示す棒グラフを他のグラフと識別可能とするように、他のグラフとは異なる表示形態で表示することができるので、ユーザは、各単位時間の縫製作業を終えた際に、その棒グラフの表示形態を視認して確認することによって、その単位時間での縫製作業ペースの良し悪しを容易に判断することができる。
【００５１】
このように、縫製システム装置１００における操作パネル２０の表示部２１に表示されるグラフや指標をユーザが視認することによって、ユーザは、ミシン１０において実行する所定縫製作業の進行具合を確認することや、目標数の縫製作業を完了するための縫製作業ペースに関する情報を得ることができるので、この縫製システム装置１００は、現在の縫製作業ペースが、ノルマ（目標生産枚数）である目標数を達成するために適正であるか否かの判断を可能にし、縫製作業を実行するユーザがその判断を容易に行うことができるミシンの生産管理装置であるといえる。
【００５２】
なお、以上の実施の形態においては、指標線Ｌｂに対応する目標終了数より実績終了数が多かった場合に、その棒グラフを他のグラフと識別可能とするように、他のグラフとは異なる色で着色するようにして表示するとしたが、本発明はこれに限定されるものではなく、更新指標線Ｌｕに対応する目標終了数より実績終了数が多かった場合に、棒グラフを着色するようにしてもよい。
【００５３】
また、その他、具体的な細部構造等についても適宜に変更可能であることは勿論である。
例えば、上記実施の形態では、ＣＰＵ２６は、単位時間毎に、目標終了数を再設定するとともに、再設定された目標終了数に対応するように指標線Ｌｕをグラフ表示エリア２１ａに更新表示しているが、目標終了数の再設定および指標線Ｌｕの更新表示は、カウント手段により縫製終了数が１つカウントされる毎に行ってもよい。この場合、ユーザは、ほぼリアルタイムで縫製作業ペースの良し悪しを判断することができる。
また、上記実施の形態では、目標数の縫製を完了すべき期限として予め当日の午後６時が固定的に設定されており、目標数は、目標の設定が行われた時点から当日の午後６時までに完了すべき縫製終了数として設定される構成のミシンの生産管理装置を例に説明したが、目標数の縫製を完了すべき期限を設定する期限設定手段及び目標数の縫製に対する縫製作業の開始時期を設定する開始時期設定手段の少なくとも一方を設け、ＣＰＵ２６は、期限設定手段及び開始時期設定手段の一方を読み込むことにより設定された期限及び時期に応じて実績終了数及び目標終了数に関する表示を行うようにしてもよい。
【図面の簡単な説明】
【００５４】
【図１】本発明に係る縫製システム装置の正面図である。
【図２】本発明に係る縫製システム装置の要部構成を示すブロック図である。
【図３】操作パネルの正面図である。
【図４】単位時間当たりの縫製終了数を計測する処理を示す説明図である。
【図５】本発明に係る縫製システム装置における、グラフの表示処理を示すフローチャートである。
【図６】操作パネルの表示部に表示されるグラフ画面の一例を示す説明図である。
【図７】操作パネルの表示部に表示される表示画面の一例を示す説明図である。
【図８】操作パネルの表示部に表示されるグラフ画面の一例を示す説明図である。
【図９】操作パネルの表示部に表示されるグラフ画面の一例を示す説明図である。
【図１０】操作パネルの表示部に表示されるグラフ画面の一例を示す説明図である。
【図１１】操作パネルの表示部に表示されるグラフ画面の一例を示す説明図である。
【図１２】操作パネルの表示部に表示されるグラフ画面の一例を示す説明図である。
【符号の説明】
【００５５】
１０    ミシン
１１    制御装置
２０    操作パネル
２１    表示部（表示手段）
２１ａ  グラフ表示エリア
２２    操作ボタン（目標数入力手段）
２２ａ  目標枚数設定キー
２２ｂ  テンキー（目標数入力手段）
２３    タイマー
２４    メモリ
２６    ＣＰＵ（カウント手段、実績終了数算出手段、目標数入力手段、目標終了数設定手段、指標表示制御手段、判断手段、識別表示制御手段）
１００  縫製システム装置（ミシンの生産管理装置）
Ｌｂ    指標線
Ｌｕ    更新指標線
【図１】
2009017995.tif 000003
【図２】
2009017995.tif 000004
【図３】
2009017995.tif 000005
【図４】
2009017995.tif 000006
【図５】
2009017995.tif 000007
【図６】
2009017995.tif 000008
【図７】
2009017995.tif 000009
【図８】
2009017995.tif 000010
【図９】
2009017995.tif 000011
【図１０】
2009017995.tif 000012
【図１１】
2009017995.tif 000013
【図１２】
2009017995.tif 000014